(57)【要約】【課題】旗竿を建てた状態でホールインしたゴルフボールを手動で、簡単に、かつ安定してパッティンググリーン上に放出できるゴルフ用のホールカップを提供する。【解決手段】ホールカップ１は、旗竿１１０が建てられた状態で、パッティンググリーン１００に埋設されている。ホールカップ１は、ケーシング１０、ケーシング１０の内部に配置される受け皿２０、ケーシング１０に固定される保持部材３０、保持部材３０にスライド自在に保持されるピンホルダー４０、およびピンホルダー４０と受け皿２０を連結するワイヤー５０を備えており、保持部材３０はバネ６０を介してケーシング１０に接続している。また、ピンホルダー４０の回転を抑制するための回動制限装置が、ピンホルダー４０および保持部材３０に設けられている。【選択図】  図１
2020141734.tif 000002
【特許請求の範囲】
【請求項１】
パッティンググリーンに埋設されるゴルフ用のホールカップであって、
旗竿が貫通した状態で、上下方向に移動可能な受け皿と、
ケーシングに固定される保持部材と、
前記保持部材に保持された状態で上下方向に移動可能な、前記旗竿を固定するためのピンホルダーと、
前記ピンホルダーに接続し、前記保持部材の上端部を経由し、前記受け皿に接続するワイヤーと、を備え、
前記受け皿は、前記ホールカップに前記旗竿を建てた状態で、前記パッティンググリーンから所定の深さで静止し、前記ピンホルダーを下方に移動したとき、一部が前記パッティンググリーン上に突出することを特徴とするホールカップ。
【請求項２】
前記ピンホルダーの回転を制限する回動制限装置を備えることを特徴とする請求項１に記載のホールカップ。
【請求項３】
前記回動制限装置は、前記ピンホルダーに対向する方向に突出して前記保持部材に設けられる上下方向に延びるガイドレールと、前記ガイドレールを挟み込む状態で前記ピンホルダーに設けられる一対のガイド部材を有することを特徴とする請求項２に記載のホールカップ。
【請求項４】
前記ピンホルダーは、バネ部材を介して前記ケーシングに接続することを特徴とする請求項１〜３のいずれか１項に記載のホールカップ。
【請求項５】
前記ワイヤーは、前記保持部材の上端部に画定されたガイド孔を経由することを特徴とする請求項１〜４のいずれか１項に記載のホールカップ。
【請求項６】
前記ワイヤーは、前記受け皿の下端部に接続することを特徴とする請求項１〜５のいずれか１項に記載のホールカップ。
【請求項７】
前記受け皿は、中心部に前記旗竿を貫通するための通過孔が画定されて、中心部が外周端に比べ盛り上がっている皿部材を有することを特徴とする請求項１〜６のいずれか１項に記載のホールカップ。
【発明の詳細な説明】
【技術分野】
【０００１】
旗竿を押し下げることで、受け皿が、パッティンググリーン上に突出し、ゴルフボールをパッティンググリーン上に放出できるゴルフ用のホールカップに関する。
【背景技術】
【０００２】
ゴルフ人口が減少する中、ルールを簡素化することで深刻なゴルフ離れを食い止め、ゴルフ人口を増やそうとの意図のもと、２０１９年１月１日からゴルフルールが大幅に改正された。従来複雑であったゴルフルールを簡素化し、ゴルフをより身近に楽しめるスポーツとすることが、今回の改正のねらいの一つである。
【０００３】
従来のルールでは、パッティンググリーン上でパットをする場合、旗竿を抜かなくてはならなかった。仮に、旗竿を抜かずにパットしてカップインした場合、２打罰が課されていた。
【０００４】
今回のルール改正により、パッティンググリーンでのプレーに関しても、旗竿を建てたままパッティングが認められるようになった。旗竿に当たってゴルフボールがカップインした場合も無罰となった。これにより、パッティンググリーン周りで苦戦しているプレーヤーがいた場合、全員がグリーンオンするのを待たなくてもパットを始めることができるので、プレー時間の短縮も期待できる。
【０００５】
しかし、旗竿を建てたままで、カップインしたゴルフボールを拾い上げるのは、手が入る隙間が狭くなるのでゴルフボールが取り出しにくく、旗竿を抜いて行う方が簡単である。仮に、旗竿を建てたままゴルフボールを拾い上げるとすると、手がパッティンググリーン面の縁に当たることで縁の部分の土が崩落する。ルールにより、ホールカップは、パッティンググリーン面より１インチ下方に埋設しなければならないことから、パッティンググリーン面から１インチは土が露出した状態となるからである。
【０００６】
今回のルール改正を受け、プレー効率化等の観点から、旗竿を建てた状態で、カップインしたゴルフボールを簡単に取り出せるホールカップの開発がのぞまれる。
【０００７】
ゴルフボールをパッティンググリーン上に放出する装置として、従来、機械仕掛け、または電気仕掛けのものが発明されている。
【０００８】
例えば、機械仕掛けのものとして、ゴルフボールをパッティンググリーン上に放出する駆動源として電気ではなくぜんまいバネという機械的駆動力を利用して、カップイン後一定時間経過の後、ゴルフボールを自動的にパッティンググリーン上に放出するホールカップが開示されている。
【０００９】
電気仕掛けのものとして、ゴルフボール衝撃ダイヤフラムにゴルフボールが触れたときのたわみに応答して付勢手段を作動させて、ゴルフボールを放出する装置が開示されている。
【先行技術文献】
【特許文献】
【００１０】
【特許文献１】実開昭５５−１８０４６５号公報
【特許文献２】特開昭４８−４５３４６号公報
【発明の概要】
【発明が解決しようとする課題】
【００１１】
しかし、機械仕掛けのものは、ぜんまいバネ、軸受、歯車等の精密な機械部品を多用していることから、雨の影響を受け、また砂やほこりがこれらの機械部品に入り込むことで、思うように動作しない虞がある。また、電気仕掛けの装置についても、同様の懸念が考えられる。
【００１２】
本発明の課題は、旗竿を押し下げることで、ホールインしたゴルフボールを簡単に、かつ安定してパッティンググリーン上に放出できるゴルフ用のホールカップを提供することである。
【課題を解決するための手段】
【００１３】
上記課題を解決するために、請求項１に係る発明は、パッティンググリーンに埋設されるゴルフ用のホールカップであって、旗竿が貫通した状態で、上下方向に移動可能な受け皿と、ケーシングに固定される保持部材と、保持部材に保持された状態で上下方向に移動可能な、旗竿を固定するためのピンホルダーと、ピンホルダーに接続し、保持部材の上端部を経由し、受け皿に接続するワイヤーとを備え、受け皿は、ホールカップに旗竿を建てた状態で、パッティンググリーンから所定の深さで静止し、ピンホルダーを下方に移動したとき、一部がパッティンググリーン上に突出することを特徴とする。
【００１４】
この構成によれば、ホールカップに旗竿を建てた状態で、受け皿は、パッティンググリーンから所定の深さで静止し、旗竿を押し下げたとき、同時にピンホルダーが下方に移動して、受け皿の一部がパッティンググリーン上に突出する。すなわち、カップインしたゴルフボールは、旗竿を押し下げることでパッティンググリーン上に放出できる。これにより、パッティンググリーン上でゴルフボールが拾いやすくなる。また、旗竿の押し下げを解除すると、受け皿およびピンホルダーは当初静止していた位置に戻る。
【００１５】
請求項２に係る発明は、請求項１に記載のホールカップにおいて、ピンホルダーの回転を制限する回動制限装置を備えることを特徴とする。
【００１６】
この構成によれば、ピンホルダーの回転を制限する回動制限装置を備えるので、風等の影響で旗竿に回転力が付与された場合でも、ピンホルダーの回転を制限できる。
【００１７】
請求項３に係る発明は、請求項２に記載のホールカップにおいて、回動制限装置は、ピンホルダーに対向する方向に突出して保持部材に設けられる上下方向に延びるガイドレールと、ガイドレールを挟み込む状態でピンホルダーに設けられる一対のガイド部材を有することを特徴とする。
【００１８】
この構成によれば、回動制限装置は、ピンホルダーに対向する方向に突出して保持部材に設けられる上下方向に延びるガイドレールと、ガイドレールを挟み込む状態でピンホルダーに設けられるガイド部材を有していることから、ガイド部材は、保持部材を介してケーシングに固定されるガイドレールによって周方向の回転が制限される。これにより、ピンホルダーの回転は制限される。
【００１９】
請求項４に係る発明は、請求項１〜３のいずれか１項に記載のホールカップにおいて、ピンホルダーは、バネ部材を介してケーシングに接続することを特徴とする。
【００２０】
この構成によれば、ピンホルダーは、バネ部材を介してケーシングに接続するので、バネ定数を適切に設定することで、ピンホルダー、旗竿、受け皿等の重さにかかわらず、安定して受け皿を所定の位置に静置できる。
【００２１】
請求項５に係る発明は、請求項１〜４にいずれか１項に記載のホールカップにおいて、ワイヤーは、保持部材の上端部に画定されたガイド孔を経由することを特徴とする。
【００２２】
この構成によれば、ワイヤーは、保持部材の上端部に画定されたガイド孔を経由するので、ワイヤーは横ずれすることなく円滑に、かつ安定してガイド孔内を移動できる。
【００２３】
請求項６に係る発明は、請求項１〜５のいずれか１項に記載のホールカップにおいて、ワイヤーは、受け皿の下端部に接続することを特徴とする。
【００２４】
この構成によれば、ワイヤーは、受け皿の下端部に接続するので、受け皿の上昇高さを大きくできる。これにより、ホールカップ全体の構造高さを抑えることができる。
【００２５】
請求項７に係る発明は、請求項１〜６のいずれか１項に記載のホールカップにおいて、受け皿は、中心部に旗竿を貫通するための通過孔が画定されて、中心部が外周端に比べ盛り上がっている皿部材を有することを特徴とする。
【００２６】
この構成によれば、皿部材の中心部が盛り上がっているので、皿部材の一部をパッティンググリーンの上方に突出することで、簡単にカップインしたゴルフボールをパッティンググリーンに放出できる。
【図面の簡単な説明】
【００２７】
【図１】静止状態を説明する正面断面図である。ただし回動制限装置は省略してある。
【図２】旗竿を押し込んだ状態を説明する正面断面図である。ただし、回動制限装置は省略してある。
【図３】回動制限装置を説明する平面図である。
【図４】（ａ）は、ガイドパイプを説明する断面図である。（ｂ）は、ワイヤーの正面図である。（ｃ）は、バネ部材の斜視図である。
【図５】（ａ）は、バネを有しない場合において、受け皿の重量が、旗竿とピンホルダーとガイド部材を加算した重量より重い場合の静止状態を説明する正面断面図である。ただし回動制限装置は省略してある。（ｂ）は、バネを有しない場合において、受け皿の重量が、旗竿とピンホルダーとガイド部材を加算した重量より軽い場合の静止状態を説明する正面断面図である。ただし回動制限装置は省略してある。
【発明を実施するための形態】
【００２８】
以下、図面を参照して本発明の実施形態を詳述する。
【００２９】
図１、２に示す通り、ホールカップ１は、旗竿１１０が建てられた状態で、パッティンググリーン１００に埋設されている。ホールカップ１は、ケーシング１０、ケーシング１０の内部に配置される受け皿２０、ケーシング１０に固定される保持部材３０、保持部材３０に保持された状態で上下方向に移動可能なピンホルダー４０、およびピンホルダー４０と受け皿２０を連結するワイヤー５０を備えており、ピンホルダー４０はバネ部材６０を介してケーシング１０に接続している。また、図３示す通り、ピンホルダー４０にガイド部材７２が、保持部材３０にガイドレール７１が設けられている。
【００３０】
ケーシング１０は、パッティンググリーン１００に埋設されており、円盤状の底板１１と、底板１１の外周端から上方に向かって垂直に延びる円筒形の側板１２を有している。ゴルフコースで使用する場合、規定により側板１２の上端は、パッティンググリーン１００から１インチ以上深く埋設する必要がある。
【００３１】
底板１１と側板１２は、ボルトによって着脱自在に固定されている。また、底板１１の外周端にリム（図示略）を設け、側板１２に勘合する構造としてもよい。着脱できる構造とすることでメンテナンスが簡単になる。これによらず、溶接によって完全に固定してもよい。底板１１は、保持部材３０、側板１２を支持するいわゆるホールカップ１の基礎となる部材であり、側板１２は、地中の土の崩落を防止するためのものである。
【００３２】
受け皿２０は、カップインしたゴルフボールをホールカップ１内で受け止めるためのものであり、ケーシング１０の内部に収容されて、上方に移動可能である。受け皿２０は、円盤状の皿部材２１と、皿部材２１の外周端から下方に向かって垂直に延びる円筒状の筒部材２２を有している。ゴルフコースで使用する場合、受け皿２０の設置深さは４インチ以上とする必要がある。
【００３３】
皿部材２１は、周辺部から中心部に向かってなだらかに盛り上がっており、中心部に旗竿１１０を通すための通過孔２３が画定されている。受け皿２０は、皿部材２１の一部がパッティンググリーン１００の上方に突出する高さまで上昇させることが好ましい。これにより、カップインしたゴルフボールは皿部材２１に設けられたなだらかな傾斜に沿って中心部から周辺部方向に転がり、その勢いで、パッティンググリーン１００に転がりながら出ていく。より好ましくは、皿部材２１の全部が、パッティンググリーン１００の上方に突出する高さまで上昇させることである。この場合は、ゴルフボールを受け止めている皿部材２１全体が、パッティンググリーン１００上に突出するため、ゴルフボールを確実にパッティンググリーン１００上に放出できる。
【００３４】
円筒状の筒部材２２は、ケーシング１０の側板１２に対向して配されて、内部側の下端部に、ワイヤー５０を接続するための４個の接続部材２４が周方向に等間隔に設けられている。筒部材２２と側板１２との間は、若干の隙間が設けられている。これにより、側板１２と摩擦力が生じることなく円滑に受け皿２０を上昇させることができる。また、降りそそいだ雨水を底板１１に落下させることができる。落下した雨水は、底板１１に画定された排出孔（図示略）を経由して外部に排出する。
【００３５】
保持部材３０は、ピンホルダー４０を上下方向に移動させるためのスライド孔３３が画定された、円筒状の部材である。下端部は、底板１１にボルトで着脱自在に固定されている。また、底板１１にリムを設け、保持部材３０と勘合する構造としてもよい。着脱できる構造とすることでメンテナンスが簡単になる。これによらず、溶接によって完全に固定してもよい。
【００３６】
保持部材３０の上端は、解放端であり、上方に皿部材２１が配されている。また、上端部には、ワイヤー５０を通すためのガイド孔３２が画定された４個のガイドパイプ３１が周方向に等間隔に設けられている。
【００３７】
ピンホルダー４０は、有底の円筒状の構造であり、旗竿１１０下端部を固定するためのホールド孔４１が画定されている。また、上端部に、ワイヤー５０を接続するための接続部材４２が設けられている。ホールド孔４１の内径は、旗竿１１０の外形に比べ少し大きく設定されている。これにより旗竿１１０はガタつくことなくホールド孔４１に確実に固定できる。また、ホールド孔４１の内部にスペーサー（図示略）を設け、このスペーサーを介して旗竿１１０を固定してもよい。ピンホルダー４０に旗竿１１０を挿入して固定し、ピンホルダー４０を保持部材３０に挿入することで、旗竿１１０の下端部はホールカップ１にスライド自在に固定される。
【００３８】
４本のワイヤー５０は、一方の端部が、ピンホルダー４０の上端部に設けられる接続部材４２に接続し、ガイドパイプ３１を経由して、他方の端部が受け皿２０の下端部に設けられた接続部材２４に接続する。すなわち、ピンホルダー４０と受け皿２０は４本のワイヤー５０を介して接続する。図４（ｂ）に示す通り、ワイヤー５０は両端にフックが設けられており、フックは、接続部材２４、４２に着脱自在に接続している。
【００３９】
ワイヤー５０に接続された、ピンホルダー４０と、受け皿２０は、一方が下降したとき、他方は上昇する。同時に、ワイヤー５０は方向を変化させながらガイド孔３２内を移動する。このときワイヤー５０とガイドパイプ３１の間に摩擦力が生じる。この摩擦力を低減して、ワイヤー５０を滑らかに通過させるために、ガイド孔３２は両端面の方向に向かって断面がなだらかに広がる形状であることが好ましい。このようにガイドパイプ３１の内面をなだらかな曲面とすることでワイヤー５０を円滑に通すことができる。
【００４０】
ピンホルダー４０が下方に移動することで、受け皿２０は、接続部材２４がガイド孔３２と一致する高さまで上昇可能である。受け皿２０の上昇可能高さは、接続部材２４からガイド孔３２の垂直距離であるので、受け皿２０をパッティンググリーン１００の上方に突出させるためには、接続部材２４からガイド孔３２までの垂直距離を、受け皿２０がパッティンググリーン１００の上方に突出するために必要な上昇高さとする必要がある。したがって、接続部材２４の取り付け位置は、可能な限り下方とすることが好ましい。これにより、ホールカップ１の構造高さを低減できる。また、上昇可能高さは、皿部材２１の一部がパッティンググリーン１００の上方に突出する高さとすることが好ましい。より好ましくは、皿部材２１の全部が、パッティンググリーン１００の上方に突出する高さまで上昇させることである。
【００４１】
回動制限装置７０は、ピンホルダー４０の周方向の回転移動を抑制するためのものであり、保持部材３０に設けられたガイドレール７１と、ピンホルダー４０に設けられた一対のガイド部材７２、７２を有している。
【００４２】
図３に示す通り、保持部材３０に設けられた上下方向に延びる４個のガイドレール７１が、スライド孔３３の中心に向かって突出して周方向に等間隔に設けられている。また、ガイドレール７１に対応する位置に、ガイドレール７１を挟み込む状態で一対のガイド部材７２、７２がピンホルダー４０に設けられている。ガイド部材７２は、ピンホルダー４０の上端部から下端部まで上下方向に延びた部材としてもよいし、上端部および下端部のそれぞれに部分的に設けてもよい。
【００４３】
ガイドレール７１とピンホルダー４０の間の隙間は、可能な限り小さいことが好ましい。これにより、がたつきを抑制でき、ピンホルダー４０は、円滑にスライド孔３３内を上昇・下降できる。
【００４４】
風により旗竿１１０に回転力が付与され、それに伴い旗竿１１０を固定するピンホルダー４０が周方向に回転した場合、ガイド部材７２は周方向に回転する。ガイド部材７２が周方向に回転すると、ガイドレール７１に接触する。ガイドレール７１は保持部材３０を介して地中に埋設されたケーシング１０に固定されているので、周方向の回転移動が制限され、ピンホルダー４０がそれ以上回転することはない。
【００４５】
バネ部材６０は、保持部材３０に画定されたスライド孔３３の内部に設けられて、一方の端部はピンホルダー４０に接続し、他方の端部は、ケーシング１０の底板１１に接続する。
【００４６】
ホールカップ１に旗竿１１０が建てられた状態で、受け皿２０の重量が、旗竿１１０とピンホルダー４０とガイド部材７２を加算した重量より軽い場合、ピンホルダー４０は下方に移動しようとする。この場合は、バネ部材６０が圧縮されて、ピンホルダー４０に上方に向かう力が付与されることにより、ピンホルダー４０は、図１の静止位置で静止する。この状態から、旗竿１１０を押し下げると、受け皿２０は上昇しパッティンググリーン１００の上に突出する。
【００４７】
反対に、受け皿２０の重量が、旗竿１１０とピンホルダー４０とガイド部材７２を加算した重量より重い場合、ピンホルダー４０は上方に移動しようとする。この場合は、バネ部材６０が伸びて、ピンホルダー４０に下方に向かう力が付与されることにより、ピンホルダー４０は、図１の静止位置で静止する。この状態から、旗竿１１０を押し下げると、受け皿２０は上昇しパッティンググリーン１００の上に突出する。
【００４８】
図５（ａ）に示す通り、バネ部材６０を有しない状態で、受け皿２０の重量が、旗竿１１０とピンホルダー４０とガイド部材７２を加算した重量より重い場合、受け皿２０が底板１１に支持された状態で静止する。この状態から、旗竿１１０を押し下げると、受け皿２０は上昇しパッティンググリーン１００の上に突出する。
【００４９】
図５（ｂ）に示す通り、バネ部材６０を有しない状態で、受け皿２０の重量が、旗竿１１０とピンホルダー４０とガイド部材７２を加算した重量より軽い場合、ピンホルダー４０が底板１１に支持されて静止する、または受け皿２０が上昇できない位置で静止する事態となる。したがって、旗竿１１０を押し込んでピンホルダー４０を下方に移動させて、受け皿２０を上昇させることはできない。
【００５０】
すなわち、バネ部材６０を有しない場合、受け皿２０の重量は、旗竿１１０とピンホルダー４０とガイド部材７２を加算した重量より重くする必要がある。
【００５１】
ゴルフコースにおける、パッティンググリーン１００での、ホールカップ１の利用態様について説明する。
【００５２】
ホールカップ１は、旗竿１１０が建てられた状態で、パッティンググリーン１００に埋設されている。
【００５３】
ゴルフボールがパッティンググリーン１００にオンしたとき、それぞれのプレーヤーは、旗竿１１０をホールカップ１から外すことなくパッティング動作に入る。近年のゴルフルール改正によりこのことが可能になったためである。
【００５４】
それぞれのプレーヤーがカップインした後、旗竿１１０を手で押し下げる。これにより、皿部材２１はパッティンググリーン１００の上に突出し、ホールカップ１の中にあったゴルフボールは、パッティンググリーン１００に放出される。
【００５５】
手を離すと、押し下げられた旗竿１１０は、バネ部材６０の復元力および／または重力によって上昇し、元の位置に戻る。すなわち、旗竿１１０をホールカップ１から取り外し、さらに取り外した旗竿１１０を再度ホールカップ１に建てる必要はなく、旗竿１１０を建てたままプレーを続行できる。これによりプレー時間の短縮を図れるとともに、プレーヤーの負担を軽減できる。さらに、パッティンググリーン１００の傷みが少なくなる。
【００５６】
なお、本発明は、上述した実施形態に限定されず、本発明の技術的思想を逸脱しない範囲で、様々な改変、置換等を行うことができる。例えば、本実施形態では、ホールカップは、ゴルフコースのパッティンググリーンに埋設されているが、練習用のパッティンググリーンに使用してもよい。さらに、パッティング練習用具に用いられるパッティンググリーンに使用してもよい。この場合は、ルールの適用外となるので、パッティンググリーン面から１インチ以上深く埋設する必要はない。したがって、受け皿がパッティンググリーン面の上方に突出するための上昇高さも、適宜設定できる。
【００５７】
また、本実施形態における回動制限装置７０は、ガイドレール７１を保持部材３０に設け、ガイド部材７２をピンホルダー４０に設けているが、ガイドレール７１をピンホルダー４０に設け、ガイド部材７２を保持部材３０に設けてもよい。
【産業上の利用可能性】
【００５８】
本発明のホールカップを、ゴルフコースのパッティンググリーンに使用した場合、プレーヤーの負担を軽減でき、さらにプレー時間の短縮も図れるので、産業上の利用可能性は大である。
【符号の説明】
【００５９】
１      ：ホールカップ
１０    ：ケーシング
２０    ：受け皿
２１    ：皿部材
２３    ：通過孔
２４    ：接続部材
３０    ：保持部材
３２    ：ガイド孔
４０    ：ピンホルダー
４２    ：接続部材
５０    ：ワイヤー
６０    ：バネ部材
７０    ：回動制限装置
７１    ：ガイドレール
７２    ：ガイド部材
１００  ：パッティンググリーン
１１０  ：旗竿
【図１】
2020141734.tif 000003
【図２】
2020141734.tif 000004
【図３】
2020141734.tif 000005
【図４】
2020141734.tif 000006
【図５】
2020141734.tif 000007